(57)【要約】【課題】車載される各種電装機器による利便性を損うことなく、安全運転も促進することができる表示一体型スイッチを提供する。【解決手段】複数種の電装機器の表示部及び操作部を一体化した表示一体型スイッチ１が、操作部１１の操作者であり、表示部１２、１３の視認者でもある着座したドライバの手が届くステアリング外の範囲Ｆ、且つ、ドライバの有効視野範囲Ｆに配置されている。このように、複数種の電装機器の表示部及び操作部が一体配置されているので、ドライバは一方向だけに集中すればよくなる。また、一体型スイッチ１は、ドライバの有効視野範囲に配置されているので、頭部運動はいうまでもなく、無理な眼球運動も不要となる。更に、一体型スイッチ１は、ステアリング５外のドライバの手が届く範囲に配置されているので、運転動作を妨げることもない。【選択図】図１
2005297764.tif 000002
【特許請求の範囲】
【請求項１】
車載される、複数種の電装機器の表示部及び操作部を一体化した表示一体型スイッチであって、
前記操作部の操作者であり、前記表示部の視認者でもある着座したドライバの手が届くステアリング外の範囲、且つ、前記ドライバの有効視野範囲に配置された、
ことを特徴とする表示一体型スイッチ。
【請求項２】
請求項１記載の表示一体型スイッチにおいて、
前記表示部は、
前記複数種の電装機器のうちで選択されている電装機器の種類を表示する選択表示部と、
前記複数種の電装機器のうちで選択されている電装機器に関する情報を表示する情報表示部と、
を含み、
前記操作部は、
前記複数種の電装機器のうちのいずれかを選択するための機器選択スイッチ部と、
前記複数種の電装機器のうちで選択されている電装機器に関する制御を行うための制御スイッチ部と、
を含む、
ことを特徴とする表示一体型スイッチ。
【請求項３】
請求項２記載の表示一体型スイッチにおいて、
前記選択されている前記電装機器に対応する制御に関する情報を表示する表示器を含み、
前記制御スイッチ部は、
押下型のスイッチ部であると共に、前記表示器上の、前記選択されている前記電装機器の制御に関する情報を透過させて表示する、
ことを特徴とする表示一体型スイッチ。
【請求項４】
請求項３記載の表示一体型スイッチにおいて、
前記制御スイッチ部は、
押下される部位がドーム型に盛り上がった透明部材で構成されるドーム型スイッチである、
ことを特徴とする表示一体型スイッチ。
【発明の詳細な説明】
【技術分野】
【０００１】
本発明は、車載される、複数種の電装機器の表示部及び操作部を一体化した表示一体型スイッチに関する。
【背景技術】
【０００２】
近年、車両内には、オーディオ機器、エアコン機器、ＥＴＣ機器等、複数種の電装機器が搭載されるようになっている。図８は、従来の車室フロント部における電装機器の配置状態を示す図である。
【０００３】
図８に示すように、車室フロント部には、図示しないフロントシートに着座するドライバに対向するように速度計やエンジン回転計等が一体化されたコンビネーションメータ９１が配置されている。コンビネーションメータ９１の隣には、例えば、送風吹出口９３、エアコン制御スイッチ９４、オーディオ機器９５等が配置されている。また、コンビネーションメータ９１の上方には、例えば、ＥＴＣ機器が配置される。なお、９２はステアリングを示す。
【０００４】
ところで、周知のように、エアコン機器９４、オーディオ機器９５、ＥＴＣ９６機器等の電装機器はそれぞれ、独立的に、表示部及び操作部を有している。詳しくは、エアコン機器９４は、風向調整、風量調整、循環調整等の操作部及び対応する表示部を有しており、オーディオ機器は、ＦＭ、ＡＭ受信機、ＣＤ、ＭＤ演奏機等の操作部及び対応する表示部を有しており、ＥＴＣ９６機器等は通行料金、印刷指令等の表示部及び操作部を有している。
【０００５】
なお、この出願の発明に関連する先行技術文献情報としては次のものがある。
【特許文献１】実開昭５７−１９７１２７号公報
【発明の開示】
【発明が解決しようとする課題】
【０００６】
しかしながら、このような分散的な電装機器の表示部及び操作部の配置は、安全運転上好ましくない。すなわち、ドライバは、それぞれの表示部や操作部を視認するために、その毎に、異なった方向に頭部運動や眼球運動を行わなければならないという問題がある。したがって、安全運転の妨げになることがある。また、運転席に拘束されたドライバから手の届かない場所に電装機器が配置されていることもあり、正常な運転動作の妨げになることもある。
【０００７】
よって本発明は、上述した現状に鑑み、車載される各種電装機器による利便性を損うことなく、安全運転も促進することができる表示一体型スイッチを提供することを課題としている。
【課題を解決するための手段】
【０００８】
上記課題を解決するためになされた請求項１記載の表示一体型スイッチは、車載される、複数種の電装機器の表示部及び操作部を一体化した表示一体型スイッチであって、前記操作部の操作者であり、前記表示部の視認者でもある着座したドライバの手が届くステアリング外の範囲、且つ、前記ドライバの有効視野範囲に配置された、ことを特徴とする。
【０００９】
請求項１記載の発明によれば、複数種の電装機器の表示部及び操作部を一体化した表示一体型スイッチが、操作部の操作者であり、表示部の視認者でもある着座したドライバの手が届くステアリング外の範囲、且つ、ドライバの有効視野範囲に配置されている。このように、複数種の電装機器の表示部及び操作部が一体配置されているので、ドライバは一方向だけに集中すればよくなる。また、この一体型スイッチは、ドライバの有効視野範囲に配置されているので、頭部運動はいうまでもなく、無理な眼球運動も不要となる。更に、この一体型スイッチは、ステアリング外のドライバの手が届く範囲に配置されているので、運転動作を妨げることもない。
【００１０】
上記課題を解決するためになされた請求項２記載の表示一体型スイッチは、請求項１記載の表示一体型スイッチにおいて、前記表示部は、前記複数種の電装機器のうちで選択されている電装機器の種類を表示する選択表示部と、前記複数種の電装機器のうちで選択されている電装機器に関する情報を表示する情報表示部と、を含み、前記操作部は、前記複数種の電装機器のうちのいずれかを選択するための機器選択スイッチ部と、前記複数種の電装機器のうちで選択されている電装機器に関する制御を行うための制御スイッチ部と、を含む、ことを特徴とする。
【００１１】
請求項２記載の発明によれば、表示部にて、複数種の電装機器のうちで選択されている電装機器の種類及びその情報が表示される。また、操作部にて、複数種の電装機器のうちのいずれかが選択され、選択された電装機器に関する制御が行われる。
【００１２】
上記課題を解決するためになされた請求項３記載の表示一体型スイッチは、請求項２記載の表示一体型スイッチにおいて、前記選択されている前記電装機器に対応する制御に関する情報を表示する表示器を含み、前記制御スイッチ部は、押下型のスイッチ部であると共に、前記表示器上の、前記選択されている前記電装機器の制御に関する情報を透過させて表示する、ことを特徴とする。
【００１３】
請求項３記載の発明によれば、制御スイッチ部は、押下型のスイッチ部であると共に、表示器上の、選択されている電装機器の制御に関する情報を透過させて表示するので、視認性が向上すると共に、省スペース化も促進される。
【００１４】
上記課題を解決するためになされた請求項４記載の表示一体型スイッチは、請求項３記載の表示一体型スイッチにおいて、前記制御スイッチ部は、押下される部位がドーム型に盛り上がった透明部材で構成されるドーム型スイッチである、ことを特徴とする。
【００１５】
請求項４記載の発明によれば、制御スイッチ部は、押下される部位がドーム型に盛り上がった透明部材で構成されるドーム型スイッチであるので、適度なクリック感及びストローク感が得られる。
【発明の効果】
【００１６】
請求項１記載の発明によれば、複数種の電装機器の表示部及び操作部を一体化した表示一体型スイッチが、操作部の操作者であり、表示部の視認者でもある着座したドライバの手が届くステアリング外の範囲、且つ、ドライバの有効視野範囲に配置されている。このように、複数種の電装機器の表示部及び操作部が一体配置されているので、ドライバは一方向だけに集中すればよくなる。また、この一体型スイッチは、ドライバの有効視野範囲に配置されているので、頭部運動はいうまでもなく、無理な眼球運動も不要となる。更に、この一体型スイッチは、ステアリング外のドライバの手が届く範囲に配置されているので、運転動作を妨げることもない。したがって、各種電装機器による利便性が損なわれることなく、安全運転も促進される。
【００１７】
請求項２記載の発明によれば、表示部にて、複数種の電装機器のうちで選択されている電装機器の種類及びその情報が表示される。また、操作部にて、複数種の電装機器のうちのいずれかが選択され、選択された電装機器に関する制御が行われる。したがって、複数種の電装機器を一体化するにあたり必要以上に大型化することもない。
【００１８】
請求項３記載の発明によれば、制御スイッチ部は、押下型のスイッチ部であると共に、表示器上の、選択されている電装機器の制御に関する情報を透過させて表示するので、視認性が向上して操作ミスが防止されると共に、省スペース化も促進される。
【００１９】
請求項４記載の発明によれば、制御スイッチ部は、押下される部位がドーム型に盛り上がった透明部材で構成されるドーム型スイッチであるので、適度なクリック感及びストローク感が得られる。したがって、スイッチ操作を視覚により再確認する必要がなく、安全運転がより促進される。
【発明を実施するための最良の形態】
【００２０】
以下、本発明の実施の形態を図面に基づいて説明する。図１は、本発明の一実施形態の表示一体型スイッチが車室フロント部に配置された状態を示す図である。図２は、本発明の一実施形態の表示一体型スイッチの正面図である。図３は、図２の各スイッチ部の断面図である。
【００２１】
図１に示すように、表示一体型スイッチ１は、操作部１１、モード表示部１２（請求項中の選択表示部に対応する）及び情報表示部１３を有し、車室フロント部のインスツルメントパネル２、例えば、センタークラスタに装着される。この表示一体型スイッチ１は、例えば、ＦＭ、ＡＭ受信機、ＣＤ、ＭＤ演奏機、エアコン機器の表示部及び操作部が一体化されて構成されている。車室フロント部にはまた、図示しないフロントシートに着座するドライバに対向するように速度計やエンジン回転計等が一体化されたコンビネーションメータ３や送風吹出口４等も配置されている。なお、５はステアリングを示す。
【００２２】
この表示一体型スイッチ１は、ドライバの有効視野範囲に配置されている。有効視野範囲は、運転席に正しく着座した標準的なドライバが眼球運動だけで、瞬時に視認できる範囲であり、左右１５゜、上８゜、下１２゜程度の範囲内である。且つ、表示一体型スイッチ１は、上記ドライバの手が届く、ステアリング５より外の範囲に配置されている。これらを満たすような範囲は、例えば、図中、点線で囲むような範囲Ｆとなる。
【００２３】
このように、この表示一体型スイッチ１は、ドライバの有効視野範囲に配置されているので、頭部運動はいうまでもなく、無理な眼球運動も不要となる。また、表示一体型スイッチ１は、ステアリング５より外のドライバの手が届く範囲に配置されているので、運転動作を妨げることもない。補足すると、仮にステアリング５の内に表示一体型スイッチ１が配置されたとすると、たとえドライバの手が届く範囲であっても、ステアリング角によってはスイッチ操作が困難になり、運転動作を妨げることにもなりかねないが、上記表示一体型スイッチ１の配置によると、このような問題も発生しない。したがって、安全運転が促進される。
【００２４】
図２に示すように、表示一体型スイッチ１は、ドライバ側からみて、下方に操作部１１が配置され、操作部１１の上左側にモード表示部１２及びその右隣に情報表示部１３が配置されている。
【００２５】
操作部１１は、複数種の電装機器、すなわち、ＦＭ、ＡＭ受信機、ＣＤ、ＭＤ演奏機、エアコン機器のうちのいずれかを選択するためのモード選択スイッチ部１１ｍ（請求項中の機器選択表示部に対応する）と、複数種の電装機器のうちで選択されている電装機器に関する制御を行うための制御スイッチ部１１ａ、１１ｂ、１１ｃと、から構成される。例えば、図２においては、ＦＭ受信機が選択されており、この選択に対応して、制御スイッチ部１１ａ、１１ｂ及び１１ｃにはそれぞれ、受信周波数選択、受信周波数走査及び受信チャネル切替のためのスイッチ機能が割り当てられていることが表示される。このようなスイッチ表示は、背面にあるＬＣＤ等の表示器１１３によって行われる。このようなスイッチ表示により、操作ミスが防止されると共に、一体型スイッチ１自体も非常にコンパクトなものになる。
【００２６】
各スイッチ部１１ｍ、１１ａ、１１ｂ、１１ｃは、図３の断面図に示すように、表示器１１３の上に、基本的に、透明基板１１４、スペーサ１１５、透明導電層１１６及び透明シート１１７が、この順に積層されて構成されている。透明基板１１４には、図示しない一対の透明電極が形成されている。スペーサ１１５は、絶縁性の接着層であり、押下される部位に対応する円形の孔が穿設されている。そして、透明シート１１７は可撓性のある透明材料で構成されており、その裏面には、透明導電層１１６が形成されている。特に、透明導電層１１６及び透明シート１１７は、押下される部位がドーム型に盛り上がるようになっている。
【００２７】
押下される部位の直径は、例えば、人間の指先の大きさを考慮して、１４ｍｍ程度である。この押下部位は、表示器１１３によって上記スイッチ表示が切替表示される表示部位でもある。この押下部位は、図２における各スイッチ部１１ｍ、１１ａ、１１ｂ、１１ｃに共通する構成となっている。例えば、図２の１１ｃに示すような所定のスイッチ表示がなされている部位を、図３中の矢印で示す方向に透明シート１１７を押下すると、透明導電層１１６が透明基板１１４の一対の透明電極間を導通させて、チャネル切替等の所定の制御信号を発生させる。このように、ドーム型スイッチであるので、適度なクリック感及びストローク感が得られる。したがって、スイッチ操作を視覚により再確認する必要がなく、安全運転が促進される。なお、このような各スイッチ部１１ｍ、１１ａ、１１ｂ、１１ｃの基本構成は、上記特許文献１に記載の操作パネルと同様である。但し、各スイッチ部１１ｍ、１１ａ、１１ｂ、１１ｃは、車載するためにドーム型スイッチとした点が、特許文献１の操作パネルとは大きく異なる。
【００２８】
モード表示部１２は、複数種の電装機器のうちで選択されている電装機器の種類を表示する。例えば、電装機器としての、ＦＭ、ＡＭ受信機、ＣＤ、ＭＤ演奏機及びエアコン機器にそれぞれ対応した、「ＦＭ」、「ＡＭ」、「ＣＤ」、「ＭＤ」及び「Ａ／Ｃ」という黒地に中抜き印刷された意匠１２ａ、１２ｂ、１２ｃ、１２ｄ及び１２ｅが配置されており、これら意匠は、対応する電装機器が選択されたときに背面にあるＬＥＤにより選択的に点灯される。
【００２９】
情報表示部１３は、複数種の電装機器のうちで選択されている電装機器に関する情報を表示する。この情報は、ＬＣＤ等の表示器１１３によって表示される。例えば、図２においては、ＦＭ受信機が選択されており、この選択に対応して、情報表示部１３には、チャネル情報、受信周波数、放送局名等の情報１３ａが表示されている。他の電装機器が選択された場合においても、対応する情報がここに表示される。
【００３０】
このように、この表示一体型スイッチ１は、非常にコンパクトでありながら、必要な情報は従来と同等又はそれ以上に表示することができる。
【００３１】
続いて、図４及び図５を用いて、本発明の一実施形態の表示一体型スイッチにおけるスイッチ操作に対応した表示切替処理等について説明する。図４は、本発明の一実施形態の表示一体型スイッチの電気的な構成を示すブロック図である。図５は、本発明の一実施形態に係る処理手順を示すフローチャートである。
【００３２】
図４に示すように、表示一体型スイッチ１は、電気的には、モード選択スイッチ部１１ｍ、制御スイッチ部１１ａ、１１ｂ及び１１ｃ、ＣＰＵ１１０、ドライバ１１３′、表示器１１３、ドライバ１１２′、ＬＥＤ１１２ａ、１１２ｂ、１１２ｃ、１１２ｄ及び１１２ｅを含んで構成される。ＣＰＵ１１０は、図５に示すような制御を司る。ＬＥＤ１１２ａ、１１２ｂ、１１２ｃ、１１２ｄ及び１１２ｅはそれぞれ、モード表示部１２の意匠１２ａ、１２ｂ、１２ｃ、１２ｄ及び１２ｅを点灯させるためのものである。
【００３３】
このような構成において、図５に示すステップＳ１においては、モード選択スイッチ部１１ｍ、制御スイッチ１１ａ、１１ｂ及び１１ｃのいずれかの押下を待機している（ステップＳ１のＮ）。ステップＳ１においてモード選択スイッチ部１１ｍが押下されたと判定されると、該当ＬＥＤを点灯するように指令し（ステップＳ２）、該当画面を表示するように指令し（ステップＳ３）、該当スイッチ表示をするように指令する（ステップＳ４）。すなわち、ステップＳ２においては、ドライバ１１２′が駆動されて、意匠１２ａ、１２ｂ、１２ｃ、１２ｄ及び１２ｅに対応するＬＥＤ１１２ａ、１１２ｂ、１１２ｃ、１１２ｄ及び１１２ｅのいずれかが点灯される。また、ステップＳ３においては、ドライバ１１３′が駆動されて、表示器１１３により該当する情報１３ａが表示され、ステップＳ４においては、表示器１１３により、制御スイッチ部１１ａ、１１ｂ及び１１ｃにそれぞれ、該当するスイッチ表示がなされる。なお、ステップＳ２、ステップＳ３、ステップＳ４においては、モード選択スイッチ部１１ｍが押下される度に、各電装機器に対応する表示に切り替わる。
【００３４】
一方、ステップＳ１において、制御スイッチ部１１ａ、１１ｂ及び１１ｃのいずれかが押下されたと判定されると、そのときに割り当てられている、押下されたスイッチ部に対応する処理が実行される。例えば、図２に示すような状態で、制御スイッチ部１１ｃが押下されると、これに応答して、ＦＭ受信機のチャネル切り替えが指令される。
【００３５】
続いて、図６及び図７を用いて、情報表示部１３に表示する情報の他のバリエーションについて説明する。図６及び図７は、情報表示部に表示される情報のバリエーションを例示する正面図である。なお、図６及び図７は、上記図２に対応する表示一体型スイッチの正面図である。
【００３６】
図６に示すように、情報表示部１３には、ＥＴＣに関する情報１３ａ′を表示するようにしてもよい。例えば、情報表示部１３には、ＥＴＣに関する情報であることを示すという文字、通行料金を示す数字、印字中であることを示す文字等が表示される。ＥＴＣに関する情報は、料金ゲートを通過直後に、例えば、上記ＬＥＤ１１２ａ、１１２ｂ、１１２ｃ、１１２ｄ及び１１２ｅを全て非点灯状態にすると共に、制御スイッチ部１１ａ、１１ｂ及び１１ｃを、該当するスイッチ表示に切り替える。
【００３７】
また、図７に示すように、情報表示部１３には、各種アラーム関する情報１３ａ″を表示するようにしてもよい。例えば、情報表示部１３には、油圧に関する情報であることを示すというマークや文字等が表示される。アラーム関する情報１３ａ″は、アラーム原因の検出直後に、例えば、上記ＬＥＤ１１２ａ、１１２ｂ、１１２ｃ、１１２ｄ及び１１２ｅを全て非点灯状態にすると共に、制御スイッチ部１１ａ、１１ｂ及び１１ｃを、該当するスイッチ表示に切り替える。
【００３８】
更に、ここでは図示しない、各種車両情報、ＩＴ情報、サービス情報、メンテナンス情報等も、表示させるようにしてもよい。
【００３９】
以上のように、本発明の実施形態によれば、複数種の電装機器の表示部及び操作部が一体配置されているので、ドライバは一方向だけに集中すればよくなる。また、一体型スイッチは、ドライバの有効視野範囲に配置されているので、頭部運動はいうまでもなく、無理な眼球運動も不要となる。また、一体型スイッチは、ステアリング外のドライバの手が届く範囲に配置されているので、運転動作を妨げることもない。更に、各スイッチ部をドーム型にしているので、クリック感が増し、スイッチ操作を視覚により再確認する必要がなく、安全運転がより促進される。
【図面の簡単な説明】
【００４０】
【図１】本発明の一実施形態の表示一体型スイッチが車室フロント部に配置された状態を示す図である。
【図２】本発明の一実施形態の表示一体型スイッチの正面図である。
【図３】図２の各スイッチ部の断面図である。
【図４】本発明の一実施形態の表示一体型スイッチの電気的な構成を示すブロック図である。
【図５】図５は、本発明の一実施形態に係る処理手順を示すフローチャートである。
【図６】情報表示部に表示される情報のバリエーションを例示する正面図である。
【図７】情報表示部に表示される情報の他のバリエーションを例示する正面図である。
【図８】従来の車室フロント部における電装機器の配置状態を示す図である。
【符号の説明】
【００４１】
１  表示一体型スイッチ
１１  操作部
１１ｍ  モード選択スイッチ部（機器選択スイッチ部）
１１ａ〜１１ｃ  制御スイッチ部
１２  モード表示部（選択表示部）
１３  情報表示部
【図１】
2005297764.tif 000003
【図２】
2005297764.tif 000004
【図３】
2005297764.tif 000005
【図４】
2005297764.tif 000006
【図５】
2005297764.tif 000007
【図６】
2005297764.tif 000008
【図７】
2005297764.tif 000009
【図８】
2005297764.tif 000010